(57)【要約】      （修正有）【課題】複数の空間を有する電磁シールドルーム内で発生した電磁波の漏洩や出入り扉から漏洩する電磁波や機器の制御信号から発生する漏洩による電磁障害を防止する。【解決手段】電気錠４を具設した外部扉３と、外部扉３の両側に設けられ、外部扉３の開閉操作を行う第１及び第２操作器７ａ、７ｂと、周囲を電磁シールド材で覆った第１室内空間１と、第１室内空間１に隣接して設けられ、周囲を電磁シールド材で覆った第２室内空間２と、第１室内空間１と第２室内空間２との間に設けられ、電気錠４を具設した内部扉５と、内部扉５の両側に設けられ、内部扉５の開閉操作を行う第３及び第４操作器８ａ、８ｂと、開閉動作期間中は他の操作器による開閉動作を禁止するインタロック制御器９と、インタロック制御器９から延長され、電気錠４と操作器とに接続する同軸線路１０と、この同軸線路１０内に設けたローパスフィルタ回路１１ａ−１１ｄとを備えるようにした。【選択図】図１
2007281351.tif 000002
【特許請求の範囲】
【請求項１】
第１電気錠を具設した外部扉と、この外部扉の両側に設けられ、外部扉の開閉操作を行う第１及び第２操作器と、外部扉の一方の面を側壁とし、周囲を電磁シールド材で覆った第１室内空間と、この第１室内空間に隣接して設けられ、周囲を電磁シールド材で覆った第２室内空間と、第１室内空間と第２室内空間との間に設けられ、第２電気錠を具設した内部扉と、この内部扉の両側に設けられ、内部扉の開閉操作を行う第３及び第４操作器と、第１又は第２室内空間に設けられ、任意の操作器による開閉動作期間中は他の操作器による開閉動作を禁止するインタロック制御器と、このインタロック制御器から延長され、個々の電気錠と個々の操作器とに接続する同軸線路と、この同軸線路内に設けたローパスフィルタ回路とを備えた電磁シールドシステム。
【請求項２】
前記ローパスフィルタは第１室内空間と第２室内空間との間の側壁内に設けられていることを特徴とする請求項１に記載の電磁シールドシステム。
【請求項３】
第１電気錠を具設した外部扉と、この外部扉の両側に設けられ、外部扉の開閉操作を行う第１及び第２操作器と、外部扉の一方の面を側壁とし、周囲を電磁シールド材で覆った第１室内空間と、この第１室内空間に隣接して設けられ、周囲を電磁シールド材で覆った第２室内空間と、第１室内空間と第２室内空間との間に設けられ、第２電気錠を具設した内部扉と、この内部扉の両側に設けられ、内部扉の開閉操作を行う第３及び第４操作器と、第１又は第２室内空間に設けられ、任意の操作器による開閉動作期間中は他の操作器による開閉動作を禁止するインタロック制御器と、このインタロック制御器から延長され、個々の電気錠と個々の操作器とに接続する同軸線路と、第１室内空間と第２室内空間とを貫通する高周波同軸伝送線路と、この高周波同軸伝送線路の高周波信号を通過させるマイクロストリップラインと前記同軸線路のインタロック制御信号を通過させるローパスフィルタとを収納したハイブリッド回路とを備えた電磁シールドシステム。
【請求項４】
前記ハイブリッド回路は第１室内空間と第２室内空間との間の側壁内に設けられていることを特徴とする請求項３に記載の電磁シールドシステム。
【発明の詳細な説明】
【技術分野】
【０００１】
この発明は、電磁シールドシステムに関するものであり、特に、電磁シールドルーム内の電磁漏洩防止やインタロック制御に関するものである。
【背景技術】
【０００２】
従来、この種の電磁シールドルームとして、例えば、特開２００５−７６３２８号公報（特許文献１参照）に記載されたものがあった。この特許文献１には、その図１及び図５から通信機器などのセキュリティ対象物を収納するラック７の周囲を直にまたはスペースをあけて囲むように連結側板９を複数順次連結して取り付け、この連結側板で囲まれた室内空間の上部を閉塞するように連結側板に天井板１１を取り付け、室内空間の下部を閉塞するように連結側板に床板５を取り付け、更に連結側板で囲まれた室内空間に連結して外部に外側扉３３と内側扉３５のある出入り用前室３１を構成し、電磁遮蔽効果およびセキュリティ性能を向上するセキュリティルームが開示されている。
【０００３】
また、特開２００５−１２８６４１号公報（特許文献２参照）に記載されたものがあった。この特許文献２には、その図１から、建物１と外部との出入が可能な第１の扉１１と、第１の扉１１の外部に、建物１の側壁７と協働して、第１の扉１１を囲繞して、閉鎖空間を形成する周壁４と、周壁４に設けられ、閉鎖空間と外部との出入りが可能で、且つ、外部から閉鎖空間内を透視できる第２の扉１２と、閉鎖空間内に配設され、第１の扉１１の前の人物を映す鏡１３とを備えた二重ドアシステムが開示されている。
【０００４】
【特許文献１】特開２００５−７６３２８号公報（第１図、第５図）
【０００５】
【特許文献２】特開２００５−１２８６４１号公報（第１図）
【発明の開示】
【発明が解決しようとする課題】
【０００６】
しかしながら、特許文献１に記載されたものは、内側扉に連結してセキュリティルームの外に出入り用空間を形成し、この出入り用空間に外部から出入りするための外側扉を形成して出入り用前室を構成するので、外側扉から出入り用前室内に入って外側扉を閉じ、次に内側扉を開けて室内に入って内側扉を閉じることにより、電磁遮蔽効果が向上するものの、前室や室内に設置する機器から漏洩する電磁波や通信データの破壊などセキュリティルーム内で発生する不都合については記載されていない。
【０００７】
一方、特許文献２に記載されたものは、第１の扉と第２の扉にオートロックシステムを設けているが、閉鎖空間で使用する機器から漏洩する電磁波などの電磁障害対策については記載されていない。
【０００８】
この発明は、複数の空間を有する電磁シールドルーム内で発生した電磁波の漏洩や出入り扉から漏洩する電磁波や機器の制御信号から発生する漏洩による電磁障害を防止する電磁シールドシステムを提供することを目的とする。
【課題を解決するための手段】
【０００９】
請求項１に係る電磁シールドシステムは、第１電気錠を具設した外部扉と、この外部扉の両側に設けられ、外部扉の開閉操作を行う第１及び第２操作器と、外部扉の一方の面を側壁とし、周囲を電磁シールド材で覆った第１室内空間と、この第１室内空間に隣接して設けられ、周囲を電磁シールド材で覆った第２室内空間と、第１室内空間と第２室内空間との間に設けられ、第２電気錠を具設した内部扉と、この内部扉の両側に設けられ、内部扉の開閉操作を行う第３及び第４操作器と、第１又は第２室内空間に設けられ、任意の操作器による開閉動作期間中は他の操作器による開閉動作を禁止するインタロック制御器と、このインタロック制御器から延長され、個々の電気錠と個々の操作器とに接続する同軸線路と、この同軸線路内に設けたローパスフィルタ回路とを備えたものである。
【００１０】
請求項２に係る電磁シールドシステムは、前記ローパスフィルタは第１室内空間と第２室内空間との間の側壁内に設けられていることを特徴とする請求項１に記載のものである。
【００１１】
請求項３に係る電磁シールドシステムは、第１電気錠を具設した外部扉と、この外部扉の両側に設けられ、外部扉の開閉操作を行う第１及び第２操作器と、外部扉の一方の面を側壁とし、周囲を電磁シールド材で覆った第１室内空間と、この第１室内空間に隣接して設けられ、周囲を電磁シールド材で覆った第２室内空間と、第１室内空間と第２室内空間との間に設けられ、第２電気錠を具設した内部扉と、この内部扉の両側に設けられ、内部扉の開閉操作を行う第３及び第４操作器と、第１又は第２室内空間に設けられ、任意の操作器による開閉動作期間中は他の操作器による開閉動作を禁止するインタロック制御器と、このインタロック制御器から延長され、個々の電気錠と個々の操作器とに接続する同軸線路と、第１室内空間と第２室内空間とを貫通する高周波同軸伝送線路と、この高周波同軸伝送線路の高周波信号を通過させるマイクロストリップラインと前記同軸線路のインタロック制御信号を通過させるローパスフィルタとを収納したハイブリッド回路とを備えたものである。
【００１２】
請求項４に係る電磁シールドシステムは、前記ハイブリッド回路は第１室内空間と第２室内空間との間の側壁内に設けられていることを特徴とする請求項３に記載のものである。
【発明の効果】
【００１３】
請求項１乃至４に係る発明によれば、複数の空間を有する電磁シールドルーム内で発生した電磁波の漏洩や出入り扉から漏洩する電磁波や機器の制御信号から発生する漏洩による電磁障害を防止することが可能である。
【発明を実施するための最良の形態】
【００１４】
実施の形態１．
以下、この発明の実施の形態１について図１を用いて説明する。図１は、実施の形態１による電磁シールドシステムの平面構成図である。図１において、１は第１の電磁シールドルームであり、第１の室内空間を有し、前室とも呼ぶ。２は第２の電磁シールドルームであり、第２の室内空間を有し、作業室とも呼ぶ。３は外部と前室１との入退室用の金属製の外部用シールド扉（外部扉）、４は外部用シールド扉３を開閉する第１電気錠、５は前室１と作業室２との入退室用の金属製の内部用シールド扉（内部扉）、６は内部用シールド扉５を開閉する第２電気錠、７は外部用シールド扉３の両側近傍に設けた開閉スイッチを備えた入退室操作器（操作器）であり、７ａは外部に面して設置された第１操作器、７ｂは前室側に設置した第２操作器である。８は内部用シールド扉５の両側近傍に設けた入退室操作器であり、８ａは前室側に設置した第３操作器、８ｂは作業室１側に設置した第４操作器である。９は各操作器７、８からの扉に対する開閉指示に対して任意の操作器による開閉動作期間中は他の操作器による開閉動作を禁止するシーケンスを有し、電気錠４、６に開閉信号を送出するインタロック制御器である。１０はインタロック制御器９から延長され、各操作器７、８に制御信号を入出力するための同軸ケーブルで構成した同軸伝送線路（同軸線路）、１１は各同軸線路１０の途中に設置されたアイソレータ（ローパスフィルタ）であり、１１ａ〜１１ｄからなる。１２は電磁シールドルームの天井と床を含む内壁近傍に設けられた電磁シールド網である。
【００１５】
次に、電磁シールドシステムの動作について説明する。図１において、入室者が入退室操作器（第１操作器）７ａを開操作することにより、このＯＮ信号がインタロック制御器９に伝わり、他の操作器７ｂ、８ａ、８ｂの操作がその後行われてもインタロック制御器は、第１操作器７ａのＯＮ信号を優先し、電気錠４に開信号を送出することにより外部用シールド扉３を開く。入室者が前室１に入室し、入退室操作器（第２操作器）７ｂを閉操作することにより、このＯＦＦ信号がインタロック制御器９に伝わり、他の操作器７ａ、８ａ、８ｂの操作がその後行われてもインタロック制御器９は、第２操作器７ｂのＯＦＦ信号を優先し、電気錠４に対して開から閉信号に変更することにより外部用シールド扉３を閉じる。従って、外部用シールド扉３が開状態の期間は、第２操作器７ｂ以外の他の操作器７ａ、８ａ、８ｂの操作は無効となる。
【００１６】
同様にして入室者が入退室操作器（第３操作器）８ａを開操作することにより、このＯＮ信号がインタロック制御器９に伝わり、他の操作器７ａ、７ｂ、８ｂの操作がその後行われてもインタロック制御器９は、第３操作器８ａのＯＮ信号を優先し、電気錠６に開信号を送出することにより内部用シールド扉５を開く。入室者が作業室２に入室し、入退室操作器（第４操作器）８ｂを閉操作することにより、このＯＦＦ信号がインタロック制御器９に伝わり、他の操作器７ａ、７ｂ、８ａの操作がその後行われてもインタロック制御器９は、第４操作器８ｂのＯＦＦ信号を優先し、電気錠６に対して開から閉信号に変更することにより内部用シールド扉５を閉じる。従って、内部用シールド扉５が開状態の期間は、第４操作器８ｂ以外の他の操作器７ａ、７ｂ、８ａの操作は無効となる。
【００１７】
また、退室者が入退室操作器（第４操作器）８ｂを開操作することにより、このＯＮ信号がインタロック制御器９に伝わり、他の操作器７ａ、７ｂ、８ａの操作がその後行われてもインタロック制御器９は、第４操作器８ｂのＯＮ信号を優先し、電気錠６に開信号を送出することにより内部用シールド扉５を開く。退室者が前室１に入室し、入退室操作器（第３操作器）８ａを閉操作することにより、このＯＦＦ信号がインタロック制御器９に伝わり、他の操作器７ａ、７ｂ、８ｂの操作がその後行われてもインタロック制御器９は、第３操作器８ａのＯＦＦ信号を優先し、電気錠６に対して開から閉信号に変更することにより内部用シールド扉５を閉じる。従って、内部用シールド扉５が開状態の期間は、第３操作器８ａ以外の他の操作器７ａ、７ｂ、８ｂの操作は無効となる。
【００１８】
同様にして退室者が入退室操作器（第２操作器）７ｂを操作することにより、このＯＮ信号がインタロック制御器９に伝わり、他の操作器７ａ、８ａ、８ｂの操作がその後行われてもインタロック制御器９は、第２操作器７ｂのＯＮ信号を優先し、電気錠４に開信号を送出することにより外部用シールド扉３を開く。退室者が外部に出て、入退室操作器（第１操作器）７ａを閉操作することにより、このＯＦＦ信号がインタロック制御器９に伝わり、他の操作器７ｂ、８ａ、８ｂの操作がその後行われてもインタロック制御器９は、第１操作器７ｂのＯＦＦ信号を優先し、電気錠４に対して開から閉信号に変更することにより外部用シールド扉３を閉じる。従って、外部用シールド扉３が開状態の期間は、第１操作器７ａ以外の他の操作器７ｂ、８ａ、８ｂの操作は無効となる。
【００１９】
すなわち、インタロック制御器９は、任意の操作器の操作信号に基づき扉の開閉動作を行うが、外部用シールド扉３と内部用シールド扉５とが同時に開かないようにシーケンサ回路による開閉手順シーケンスを組むことによりインタロック制御を行う。
【００２０】
次に入退室操作器７、８及び電気錠４，６とインタロック制御器９とを接続する同軸伝送線路１０について説明する。電磁シールドルーム（作業室）２には比較的高電力のマイクロ波発信機器やマイクロ波増幅機器が設置される場合が多く、外部との電磁遮蔽は電磁シールドが施されているが、電磁シールドルーム１、２の室内においては、同軸伝送線路１０にマイクロ波の高調波などの混入がある。従って、インタロック制御器９から延長される制御信号を信号ラインである同軸伝送線路１０で隔離すると共にアイソレータ１１を同軸伝送線路１０の経路中に組込、信号ラインから漏洩する電磁波に対してアイソレータ１１で熱変換もしくは接地し、同軸伝送線路１０からの電磁波の漏洩を防止する。また、高周波信号の混入によるインタロック制御器９からの制御信号の誤動作を防止する。本実施の形態１ではアイソレータ１１は制御信号が３０ＫＨｚ以下の低周波であるので１００ＫＨｚ以上の高周波に対して５０ｄＢ以上の減衰量を確保したローパスフィルタを用いている。
【００２１】
図２は、電磁シールドシステムの電磁シールド状態を説明する図であり、図２ａはその平面図、図２ｂは側面図である。図中、図１と同一符号は同一又は相当部分を示す。
【００２２】
図２ａにおいては、外部シールド用扉３は開状態であり、前室１と作業室２との間の内部用シールド扉５は閉状態を示している。また、図２ｂでは、外部対して前室１は周囲を側壁などに囲まれると共に電磁シールドされた第１室内空間を有しており、作業室２も側壁などに囲まれると共に電磁シールドされた第２室内空間を有している。
【００２３】
図３は、内部シールド用扉５が開状態の電磁シールド空間領域を説明するための図である。図３では内部シールド用扉５が開状態であっても前室１及び作業室２は共に電磁シールドされていることを示している。電磁シールドは、前室１や作業室２の天井や床を含む側壁部内面を利用して、ステンレス（ＳＵＳ）などの細線状金属をメッシュ形状にし、幾重にも重ねて構成されている。図中、図１と同一符号は同一又は相当部分を示す。
【００２４】
実施の形態２．
実施の形態１では、アイソレータ１１は、インタロック制御器９から延長された各信号ラインに適用した場合について説明したが、実施の形態２では、マイクロ波伝送線路が混在したアイソレータの構成について説明する。
【００２５】
図４は、実施の形態２による電磁シールドシステムの平面構成図である。図４において、１３はマイクロ波送受信源、１４は次段アンテナ源（図示せず）に接続する送受信切替回路、１５はマイクロ波送受信源１３と送受信切替回路１４とを接続する同軸線路で構成した高周波同軸伝送線路（マイクロ波伝送線路）、１６はマイクロ波伝送線路１５の経路中に組み込まれたアイソレータ、１７は電気錠６とインタロック制御器９との信号ラインである同軸伝送線路、１８は入退室操作器（第４操作器）８ｂとインタロック制御器９との信号ラインである同軸伝送線路である。図中、図１と同一符号は同一又は相当部分を示す。
【００２６】
次に動作について説明する。マイクロ波送受信源１３で発信されたマイクロ波送信信号（ＲＦ）は、送受信切替回路１４に伝達され、その受信信号は送受信切替回路１４からマイクロ波送受信源１３で受信され中間信号を得る。マイクロ波伝送線路１５は前室１と作業室２を貫いて設置されており、第１室内空間と第２室内空間の境界となる前室１と作業室２の側壁内部にアイソレータ１６が設置される。アイソレータ１６は図５に示すようにマイクロ波伝送線路１５を双方向に伝送可能なように裏面が接地されたマイクロストリップラインで構成された平面パターンと、電気錠６とインタロック制御器９との同軸伝送線路１７及び入退室操作器（第４操作器）８ｂとインタロック制御器９との同軸伝送線路１８用のローパスフィルタ回路を備えている。ローパスフィルタ回路はコイル（Ｌ）部品とコンデンサ（Ｃ）部品とのＬＣ回路で構成される。従って、アイソレータ１６はマイクロストリップラインの平面回路とディスクリート構成のＬＣ回路とのハイブリッド（混成）回路を形成している。又周囲をＧＮＤラインで電磁遮蔽している。
【００２７】
なお、アイソレータ（ハイブリッド回路）１６は、双方向にマイクロ波を伝送すると共に分配器で複数のマイクロ波機器に信号伝送が可能となっている。また、所定のマイクロ波周波数（λ）に対して、平面パターンを形成する基材に対応する管内波長（λｇ）でパターン設計されるので所定のマイクロ波周波数に対しては帯域通過フィルタの役目も果たす。
【００２８】
実施の形態３．
実施の形態２では、ハイブリッド回路で構成したアイソレータ１６について説明したが実施の形態３では、第１室内空間と第２室内空間の境界となる前室１と作業室２の側壁内部にアイソレータ１６を設置する理由について説明する。図２ｂに示すように電磁シールドは一般的には電磁シールドルームの内壁側に設置するので、隣接する内壁間のシールド性能については保証されない。対して信号ラインやマイクロ波伝送線路はシールド空間を貫通して設置されるので、隣接する内壁間にアイソレータを設置することにより、新たに外壁に電磁シールドを設置する必要が無く、安価な電磁シールドシステムを構築することが可能である。
【００２９】
なお、実施の形態１では、アイソレータ１１は電磁シールドルーム１、２の各所に配置したが、実施の形態２及び３同様電磁シールドルーム間の側壁内部に設置しても良い。
【図面の簡単な説明】
【００３０】
【図１】この発明の実施の形態１による電磁シールドシステムの平面構成図である。
【図２】この発明の実施の形態１による電磁シールドシステムのシールドルームの説明図であり、図２ａは扉の扉の開閉状態を示し、図２ｂは室内空間の状態を説明する図である。
【図３】この発明の実施の形態１による電磁シールドシステムの扉の開閉による電磁シールド空間を説明する図である。
【図４】この発明の実施の形態２による電磁シールドシステムの平面構成図である。
【図５】この発明の実施の形態２及び３によるアイソレータの構成図である。
【符号の説明】
【００３１】
１  電磁シールドルーム（前室）、  ２  電磁シールドルーム（作業室）、  ３  外部用シールド扉（外部扉）、  ４  電気錠（第１電気錠）、  ５  内部用シールド扉（内部扉）、  ６  電気錠（第２電気錠）、  ７  入退室操作器（操作器）、７ａ  第１操作器、  ７ｂ  第２操作器、  ８  入退室操作器、  ８ａ  第３操作器、  ８ｂ  第４操作器、  ９  インタロック制御器、  １０  同軸伝送線路（同軸線路）、  １１  アイソレータ（ローパスフィルタ回路）、  １２  電磁シールド網、  １３  マイクロ波送受信源、  １４  送受信切替回路、  １５  高周波同軸伝送線路（マイクロ波伝送線路）、  １６  アイソレータ（ハイブリッド回路）、  １７  同軸伝送線路（同軸線路）、  １８  同軸伝送線路（同軸線路）。
【図１】
2007281351.tif 000003
【図２】
2007281351.tif 000004
【図３】
2007281351.tif 000005
【図４】
2007281351.tif 000006
【図５】
2007281351.tif 000007